(57)【要約】【課題】  パネルモジュールと前面板を弾性体により支持する構造では、パネルモジュールと前面板との間に外部からの埃やタバコの煙が入りこみ、表示パネルへの汚れの付着による表示不具都合が生じる。  前面板周囲にゴムパッキングを配置し、パネルモジュールと前面板との間を防塵する構造にするとパネルモジュールと前面板をベゼルに固定する多数のねじや取り付け金具が必要となる。【解決手段】  画像を表示する表示パネル４ａと、前記表示パネル４ａを背面で支持するパネルシャーシ４ｂと、前記表示パネル４ａの前面に対向するように配置した前面板３と、前記前面板３の前面周辺を覆うベゼル２と、を有する画像表示装置１において、前記パネルシャーシ４ｂの角部で嵌合する溝と前記前面板３の全周部で嵌合する溝を有する支持防塵弾性体５、６を配置し、該支持防塵弾性体５、６をベゼル２とリアカバー９で挟持する構造とした。【選択図】  図２
2009258489.tif 000002
【特許請求の範囲】
【請求項１】
画像を表示する画像表示パネルと、前記画像表示パネルを背面で支持するシャーシと、前記画像表示パネルの前面に対向するように配置した保護板と、前記保護板の前面周辺を覆う枠体とを有する画像表示装置において、
前記シャーシと嵌合する第一の溝と、前記保護板と嵌合する第二の溝とを有する複数の支持手段を設け、少なくとも第二の溝部は前記保護板と全周にわたって嵌合することを特徴とする画像表示装置。
【請求項２】
前記支持手段は、前記枠体と前記シャーシの後面を覆う背面カバーにより前記シャーシの角部付近を前面と後面から挟持されていることを特徴とする請求項１に記載の画像表示装置。
【請求項３】
前記支持手段を挟持する構造には前記枠体の内部に配置した前記背面カバーを固定するボスを含み、該ボスの高さが、前記支持手段の前後方向の厚さより短いことを特徴とする請求項１、又は請求項２記載の画像表示装置。
【請求項４】
前記画像表示パネルは前面プレートと該前面プレートより外形寸法を拡大した部分に端子部を形成した後面プレートで構成されており、前記支持手段は前記後面プレートの外周端面および端子部との間に前記前面プレートの板厚以上の空隙を設けたことを特徴とする請求項１に記載の画像表示装置。
【請求項５】
前記画像表示パネルを構成する前記後面プレートの端子部に、前記シャーシの後方より電気信号を供給する配線が接続されており、前記画像表示パネルを正面方向から望んだ時、該配線は前記支持手段の第一の溝と重ならない位置に配列されていることを特徴とする請求項１、又は請求項４に記載の画像表示装置。
【請求項６】
前記支持手段の後面に位置し、前記第一の溝と直交するスリットを有することを特徴とする請求項１に記載の画像表示装置。
【請求項７】
前記第二の溝を構成する断面コの字部の一方の連続する凸部は、前記保護板の後面と前記画像表示パネルの前面とに密着していることを特徴とする請求項１に記載の画像表示装置。
【請求項８】
前記支持手段を構成する前記第二の溝は前記保護板の長辺と短辺、または長辺または短辺いずれかの任意の位置で締結可能な手段を有することを特徴とする請求項１に記載の画像表示装置。
【請求項９】
前記支持手段は弾性材料から成ることを特徴とする請求項１に記載の画像表示装置。
【発明の詳細な説明】
【技術分野】
【０００１】
本発明は画像表示装置における内部構造物の支持構造および防塵構造に関するものである。
【背景技術】
【０００２】
近年大型のプラズマディスプレイパネルや液晶ディスプレイパネルを利用した画像表示装置が実用化されている。従来のＣＲＴに比べてパネルの特徴を生かして薄型、軽量化のテレビが普及している。
【０００３】
しかしながら、薄型パネルは外部からの振動や衝撃に弱いため構造的な工夫がなされてきた。そのため部品点数が増加するという課題を抱えていた。それを解決するため以下の提案がある。
【０００４】
例えば、特許文献１において、図１３に示すように２つの電子部品である被緩衝物１０１、被緩衝物１０２に対して筐体１０３、筐体１０４から伝わる衝撃を緩衝し得るように筐体に支持した電子機器１０５がある。該電子機器１０５の隅部に弾性材料から成る衝撃緩衝部材１０６を配置しており該衝撃緩衝部材１０６の中間部分に2個の溝１０７、１０８があり、被緩衝物１０１、１０２を個別に係合して筐体に支持させている。以上により構造を簡素化し、部品点数を減らしている。
【０００５】
また、特許文献２において、図１４に示すようにプラズマディスプレイ装置２０１は、その正面側の外装カバーであるベゼル２０２の内側に、鉄、アルミなどの平形状のパネルシャーシ２０３と該パネルシャーシ２０３の正面側に配置された表示を行うパネル２０４と該パネル２０４の前面側に色調補正やコントラスト向上、電磁波遮断機能を備えた光学フィルムをガラス表面に貼り付けた前面板２０５を設置している。なお、前記パネルシャーシ２０３はベゼル２０２に対し、固定ねじ２０６により固定されている。また、パネル２０４と前面板２０５とは、数ｍｍの隙間を設け、外部からの衝撃によるパネルへの衝撃防止を行っている。防塵のため前面板２０５の全周にわたりゴムパッキング２０７を装着しパネル２０４と前面板２０５の間を塞ぐ構造となっている。
【特許文献１】特開2004-332868号公報
【特許文献２】特開平11-251766号公報
【発明の開示】
【発明が解決しようとする課題】
【０００６】
しかしながら特許文献１の構造を画像表示装置に適用する場合には以下のような課題がある。
【０００７】
１．衝撃緩衝部材１０６は2個の溝１０７、１０８に、被緩衝物１０１、１０２を個別に係合して筐体に支持させている。しかし、該被衝撃緩衝部材１０６は被緩衝物１０１、１０２の周囲の一部に配置される、または、少なくとも全周を囲うようには配置していないので被緩衝物１０１、１０２の間には埃やタバコの煙が進入する。
【０００８】
一方特許文献２の構造を画像表示装置に適用する場合には以下のような課題がある。
【０００９】
２．前面板２０５の全周にわたりゴムパッキング２０７が装着され、パネル２０４と前面板２０５の間を塞ぐ構造となっているので、埃やタバコの煙で表示不都合を起こさない。しかし、特許文献１に比較してパネル２０４のパネルシャーシ２０３を固定ねじ２０６で固定する構造であるため、部品点数が多い。
【００１０】
そこで本発明は、薄型表示パネルの支持構造において、高い防塵性を維持しつつ、組立て性の良い画像表示装置を提供することを目的とする。
【課題を解決するための手段】
【００１１】
上記課題を解決するために、本発明の画像表示装置は、画像を表示する画像表示パネルと、前記画像表示パネルを背面で支持するシャーシと、前記画像表示パネルの前面に対向するように配置した保護板と、前記保護板の前面周辺を覆う枠体とを有する画像表示装置において、前記シャーシと嵌合する第一の溝と、前記保護板と嵌合する第二の溝とを有する複数の支持手段を設け、少なくとも第二の溝部は前記保護板と全周にわたって嵌合することを特徴とする。
【００１２】
前記支持手段は、前記枠体と前記シャーシの後面を覆う背面カバーにより前記シャーシの角部付近を前面と後面から挟持されていることを特徴とする。
【００１３】
前記第二の溝を構成する断面略コの字部の一方の連続する凸部は、前記保護板の後面と前記画像表示パネルの前面とに密着していることを特徴とする。
【００１４】
前記支持手段を構成する前記第二の溝は前記保護板の長辺と短辺、または長辺または短辺いずれかの任意の位置で締結可能な手段を有することを特徴とする。
【発明の効果】
【００１５】
１．本発明によればパネルシャーシと前面板との固定に使用するねじや固定金具など部品の削減が可能になり、組立て作業の効率化が図られた。
【００１６】
２．複数の弾性支持部材は隣合う該弾性支持部材同士が密着して連結し、全周にわたる枠形状を成す構造とし、前面板と表示パネルとの空隙が密閉されるため、画像表示装置外部から進入した埃が前面板後面や表示パネル前面に付着して表示品質が劣化する心配がなくなった。
【００１７】
３．複数の弾性支持部材の連結に接着材を使っておらず、分解時には工具を使わずに前面板と表示パネルを分離でき、リサイクル性が向上した。
【発明を実施するための最良の形態】
【００１８】
次に、本発明の詳細を実施例の記述に従って説明する。
【実施例１】
【００１９】
以下、本発明の実施の形態を適用した画像表示装置に関して図を用いて説明する。図１は本発明の実施の形態に係る画像表示装置の斜視図、図２は同じく分解斜視図、図３は画像表示装置下部画面中央付近の縦断面図、である。
【００２０】
各図において、
１は、画像表示装置であり、ベゼル２、前面板３、パネルモジュール４、支持防塵弾性体５、支持防塵弾性体６、連結材７、電気回路基板８、リアカバー９、ねじ１０、により構成されている。
【００２１】
ベゼル２は、画像表示装置１の正面側の外装カバーで、樹脂成形されたデザイン意匠性を持つ部材である。内側には構造物を固定するためのボス２ａが複数設けられ、中央部には画像表示のための開口部２ｂが設けられている。
【００２２】
前面板３は、反射防止処理、防汚処理、帯電防止処理を施した光学フィルムを貼合わせた板ガラスである。
【００２３】
パネルモジュール４は、テレビ放送などの画像を表示する目的で、５０インチ台の画面サイズを有し、２枚のガラス板を対向させて内部に電子放出素子を配した表示パネル４ａを採用している。背面側には、鉄、アルミなどで適度な剛性をもたせた平形状のパネルシャーシ４ｂを配置して前記表示パネル４ａを支持している。パネルシャーシ４ｂの背面側に電気回路基板８を取付けるためのボス４ｃが複数個カシメ、または溶接により取付けられている。表示パネル４ａの各辺端面の端子部（図示せず）からはパネルシャーシ４ｂの表面に沿って引き回されている表示パネル４ａに電気信号を送るパネル信号ケーブル４ｄがある。
【００２４】
前記電気回路基板８は、駆動電源基板、制御基板、ドライブ基板、チューナー基板等の画像を表示するための基板で構成され、前記パネルシャーシ４ｂの背面側の複数のボス４ｃにねじ（図示せず）で固定される。
【００２５】
リアカバー９は、画像表示装置１の内部に取付けられている前記電気回路基板８の活電部が外部に露出しないように背面部を覆い隠し、デザイン性を持つ外装部品である。なお、該リアカバー９は板金を金型などにより絞り加工し必要な凹凸形状が施され、内部の熱を逃がすための細かい開口穴（図示せず）が複数設けられている。また、外周部にはリアカバー９をベゼル２に取付けるためのねじ１０を止めるための平らな平面である外周フランジ９ａ、複数のねじ貫通穴９ｂを有する。
【００２６】
ねじ１０は、鉄製の一般的な十字穴付きねじである。
【００２７】
次に支持防塵材弾性体５、６について説明する。図４は本発明の主要構造部品である支持防塵弾性体の斜視図を表している。更に、図５は同じく支持防塵弾性体の角部付近の要部を詳細に説明する斜視断面図、図６は画像表示装置下部コーナー部付近の縦断面図、図７は本発明の主要構造部品である支持防塵弾性体の長辺中央部付近の要部を詳細に説明する上面図（ａ）、正面図（ｂ）、である。
【００２８】
図４において、連結材７は、前記支持防塵弾性体５、６と同じ材質で形成され、前記支持防塵弾性体５と６で構成した枠形状の各辺中央部付近に配置されている。支持防塵弾性体５と支持防塵弾性体６は画像表示装置中央面１ａに対し左右対称形状をしているので、ここでは支持防塵弾性体５について説明し、支持防塵弾性体６の説明は省略する。
【００２９】
図５において、前面板３のコーナー部付近には複数の凹部を有する略直方体を成すコーナー支持部５ａが設けられ、該コーナー支持部５ａの前面側に重なるように締結パッキング部５ｂが一体的に設けられている。該コーナー支持部５ａは前面板３が嵌合する前面板溝部５ｅ、パネルモジュール４が嵌合するパネルモジュール溝部５ｆ、表示パネル逃げ部５ｇおよび溝部５ｈを有する。該溝部５ｈにより背面壁５ｉが折り曲げ線５ｊにて弱い力で折り曲げることができる。ここで、前記締結パッキング部５ｂは前面板溝部５ｅを有する断面形状が略コの字をしている。
【００３０】
該前面板溝部５ｅには前面板３の外周部の各辺が嵌合し、パネルモジュール溝部５ｆにはパネルシャーシ４ｂのコーナー部が嵌合する構造とした。
【００３１】
以上の構成により、前面板３およびパネルモジュール４のパネルシャーシ４ｂは画像表示装置１の内部でコーナー支持部５ａ、６ａにより支持される。
【００３２】
この時、図６において、表示パネル４ａ部の外周端面は表示パネル逃げ部５ｇと一定の空隙が確保されていて接触しない。これはガラス板から構成される前記表示パネル４ａに無理な力が掛からないように、前記表示パネル４ａの前後方向に対し垂直方向に力が常に働かない構造となり、パネルモジュール４の質量はパネルシャーシ４ｂのみにより支えられる。なお、前記支持防塵弾性体５の前後方向の厚さと前記ベゼル２の前記リアカバー９を固定する前記ボス２ａの高さにおいて、前記支持防塵弾性体５の厚さより前記ボス２ａの高さを低くした。ねじ１０を締付けることでリアカバー９の外周フランジ部９ａの前面はコーナー支持部５ａ、６ａの背面壁５ｉ、６ｉを圧縮する。このため前記支持防塵弾性体５、６の外形寸法の製造ばらつきにより生じた各部品との接触面での隙間が弾性体の弾性変形により埋まり、より密着する。コーナー支持部５ａ、６ａはリアカバー９の外周フランジ９ａとベゼル２との間に挟まれて固定される。同時に前面板３、パネルシャーシ４ｂもコーナー支持部５ａ、６ａを介して固定される。
【００３３】
さらに、先の図５、図６において、締結パッキング部５ｂの背面とパネル４ａの表面が全周にわたって当接する構造とした。従って、前面板３とパネル４ａ間で、かつ、支持防塵弾性体５、６で構成した枠形状の内側には外部からの埃やタバコの煙の進入を防ぐことができる。
【００３４】
次に、図７において、支持防塵弾性体５と支持防塵弾性体６の連結構造について説明を加える。前記締結パッキング部５ｂのコーナー支持部５ａより離れた端部２箇所、枠形状を成す各辺の中央部付近には連結部５ｃ、連結凸部５ｄを設けた。連結材７には、２つの嵌合穴７ａを設け、該嵌合穴７ａは前記連結凸部５ｄ、６ｄと嵌合し、支持防塵弾性体５、６を連結した。該連結材７は連結部４箇所に取り付けられることで支持防塵弾性体５と６が枠形状を維持でき前面板溝５ｅは前面板溝６ｅと連続した溝を構成することが可能になった。
【００３５】
次に組立て方法について先の図３、図５、図６と、図８の組立図と図９の組立図および図１０を利用して説明する。なお、実際の組立てはベゼル２の前面側の外装面を下にして水平状態に伏せて行うとよい。まず図８において、支持防塵弾性体５、６は前面板溝部５ｅ、６ｅを前面板３の４辺にはめ込んで取付け、前記連結材７により連結する。支持防塵弾性体５、６は連結することにより前面板から脱落することなく一体化し、この状態でベゼル２の内部に挿入する。
【００３６】
次に図９、図１０において、コーナー支持部５ａ、６ａの背面壁５ｉ、６ｉを冶具または人の手によりめくる。この状態を維持することで次に組むパネルモジュール４をコーナー支持部５ａ、６ａに載せる作業が容易になる。その後、めくり上げた背面壁５ｉ、６ｉを図５のように元の状態に戻す。この時、パネルシャーシ４ｂの角部前面側がパネルモジュール溝部５ｆに密着してコーナー支持部５ａに支持された状態となる。電気回路基板８をパネルモジュール４の複数のボス４ｃにねじ（図示せず）で固定する。その後、表示パネル４ａから伸びる複数のパネル信号ケーブル４ｄを電気回路基板８のうちドライブ基板のコネクタ（図示せず）に接続する。ここで支持防塵弾性体５ｂ、６ｂは図３のように前記表示パネル４ａの前面より前方向に位置し、パネル信号ケーブル４ｄは前記表示パネル４ａの後面より後方に位置する。このため前記パネル信号ケーブル４ｄは前記支持防塵弾性体５ｂ、６ｂに接触して破損、断線することがない。最後にリアカバー９を複数のねじ１０でベゼル２のボス２ａに取付けて固定する。
【００３７】
以上で説明したように
１．パネルシャーシと前面板と嵌合する弾性支持部材をベゼルとリアカバーで挟む構造としたため、ねじや固定金具などの部品を削減して組立て作業の効率化が図られた。
【００３８】
２．４つの弾性支持部材は隣合う該弾性支持部材同士が密着して連結し、全周にわたる枠形状を成す構造とし、前面板と表示パネルとの空隙を密閉する構造としたため、本画像表示装置外部から前面板と表示パネルとの空隙内に埃が進入することを防止できる。
【００３９】
３．４つの弾性支持部材の接続は接着剤を使わないで連結材をはめる構造である。分離時は工具を使わずに連結材を外してパネルモジュールと前面板から４つの支持防塵弾性体を分離できるため、リサイクル性が向上する、という効果がある。
【実施例２】
【００４０】
図１１は第二の実施例における支持防塵弾性体を組込むときの組立図、図１２は第二の実施例における支持防塵弾性体を詳細に説明する上面図（ａ）、正面図（ｂ）、である。
【００４１】
尚、実施例１と同一部品は同一番号を付記または省略し、同一の構造や機能についても説明を省略する。各図において、
支持防塵弾性体１１はゴム、スポンジ等の弾性材料で形成され、実施例１と同様に前面板３の全周とパネルシャーシ４bと嵌合する溝を有している。また、支持防塵弾性体１１は同一形状であるが、前面板３の画面中心を通る法線を軸とする回転対象の位置関係となっている。次に該支持防塵弾性体１１の特徴的な構造について説明を加える。
【００４２】
支持防塵弾性体１１の二つの端部には締結パッキング部１１ｂ、１１ｂ'を有する。更に締結パッキング部１１ｂには連結穴１１ｑを有する平板状で突出した連結片１１ｐを一体的に形成している。一方の締結パッキング部１１ｂ’には円柱状の連結凸部１１ｒを一体的に形成している。また該支持防塵弾性体１１は締結パッキング部１１ｂ、１１ｂ'に前面板溝部１１ｅが形成されて断面略コの字形状で前面板３の４辺にはめ込む構造となっている。なお、実施例１と異なる点は、実施例１では２種の支持防塵弾性体５、６を２個づつ使用し、連結材７により該支持防塵弾性体５、６同士を連結している。それに対し、実施例２では１種の支持防塵弾性体１１を２個使用し、該支持防塵弾性体１１の一部の部位である連結片１１ｐにより該支持防塵弾性体１１が連結される。実施例１に比べて部品の種類、部品の数を少なくすることが可能になった。
【００４３】
次に本構成における組立て方法について説明する。
【００４４】
前面板３に対して左に位置する支持防塵弾性体１１を前面板３の左側から上下の長辺と前面板溝部１１ｅを嵌合させながら右方向へ滑らせていく。前面板３の短辺が前記支持防塵弾性体１１の縦方向の前面板溝部１１ｅに嵌合するまで移動する。次にもう一方の右側の支持防塵弾性体１１も同様にして前面板３との嵌合を完了する。この状態において締結パッキング部１１ｂ、１１ｂ'同士は密着して連続した前面板溝部１１ｅを構成する。次に連結片１１ｐの連結穴１１ｑに連結凸部１１ｒを嵌合させて左右の支持防塵弾性体１１は連結される。以上の組立てにより支持防塵弾性体１１と前面板３が一体化される。この後実施例１と同様にベゼル２の内部に一体化した前記支持防塵弾性体１１と前面板を挿入する。以後、パネルモジュール４を支持防塵弾性体１１に嵌合させた後にリアカバー９を被せてねじ止めして本画像表示装置の組立てが完成する。
【００４５】
以上のように、実施例１に加えて本発明の効果を説明すると
１．パネルシャーシと前面板と嵌合する弾性支持部材をベゼルとリアカバーで挟む構造としたため、ねじや固定金具などの部品を削減して組立て作業の効率化が図られた。
【００４６】
２．２つの弾性支持部材は隣合う該弾性支持部材同士が密着して連結し、全周にわたる枠形状を成す構造とし、前面板と表示パネルとの空隙を密閉する構造としたため、本画像表示装置外部から前面板と表示パネルとの空隙内に埃が進入することを防止できる。
【００４７】
３．２つの弾性支持部材の接続は接着剤を使わないで連結部をはめる構造である。分離時は工具を使わずに連結部を外してパネルモジュールと前面板から２つの支持防塵弾性体を分離できるため、リサイクル性が向上する、という効果がある。
【００４８】
尚、本実施例では支持防塵弾性体を左右に分離したが、前面板の短辺部で上下に分離配置しても同様の効果が得られる。
【図面の簡単な説明】
【００４９】
【図１】本発明の実施の形態に係る画像表示装置の画像表示装置の斜視図である。
【図２】本発明の実施の形態に係る画像表示装置の画像表示装置の分解斜視図である。
【図３】画像表示装置の下部画面中央付近の縦断面図である。
【図４】本発明の主要構造部品である支持防塵弾性体の斜視図である。
【図５】本発明の主要構造部品である支持防塵弾性体要部を詳細に説明する斜視断面図である。
【図６】画像表示装置の下部コーナー部付近の縦断面図である。
【図７】本発明の主要構造部品である支持防塵弾性体要部を詳細に説明する上面図、正面図である。
【図８】本発明の主要構造部品を組立てる際の斜視図である。
【図９】本発明の主要構造部品を組立てる際の斜視図である。
【図１０】本発明の主要構造部品である支持防塵弾性体要部を詳細に説明する斜視断面図である。
【図１１】第二の本発明の主要構造部品を組立てる際の斜視図である。
【図１２】第二の本発明の主要構造部品である支持防塵弾性体要部を詳細に説明する正面図、底面図である。
【図１３】従来例に係る携帯型電子機器を示す図である。
【図１４】従来例に係るプラズマディスプレイの防塵構造を示す図である。
【符号の説明】
【００５０】
１  画像表示装置
２  ベゼル
３  前面板
４  パネルモジュール
５  支持防塵弾性体
６  支持防塵弾性体
７  連結材
８  電気回路基板
９  リアカバー
１０  ねじ
【図１】
2009258489.tif 000003
【図２】
2009258489.tif 000004
【図３】
2009258489.tif 000005
【図４】
2009258489.tif 000006
【図５】
2009258489.tif 000007
【図６】
2009258489.tif 000008
【図７】
2009258489.tif 000009
【図８】
2009258489.tif 000010
【図９】
2009258489.tif 000011
【図１０】
2009258489.tif 000012
【図１１】
2009258489.tif 000013
【図１２】
2009258489.tif 000014
【図１３】
2009258489.tif 000015
【図１４】
2009258489.tif 000016